(57)【要約】【課題】複雑な操作をせずに、システム全体として、画像形成装置を、より効果的に省電力化することができる情報処理装置を提供することを目的とする。【解決手段】インタフェースを介して、複数のプリンタと接続する情報処理装置において、最優先で使用するように設定されているデフォルトプリンタを記憶するデフォルトプリンタメモリを有する。上記インタフェースで構成されているシステム上のプリンタが、省電力状態であることを検出する省電力状態検出手段を有する。上記省電力状態検出手段が検出したプリンタと、上記デフォルトメモリに記録されているプリンタとが同一であるかどうかを判断する判断手段を有する。上記判断手段が、同一であると判断すると、代替プリンタを決定する代替プリンタ決定手段を有する。【選択図】図５
2009003586.tif 000002
【特許請求の範囲】
【請求項１】
インタフェースを介して、複数のプリンタと接続する情報処理装置において、
最優先で使用するように設定されているデフォルトプリンタを記憶するデフォルトプリンタメモリと；
上記インタフェースで構成されているシステム上のプリンタが、省電力状態であることを検出する省電力状態検出手段と；
上記省電力状態検出手段が検出したプリンタと、上記デフォルトプリンタメモリに記録されているプリンタとが同一であるかどうかを判断する判断手段と；
上記判断手段が、同一であると判断すると、代替プリンタを決定する代替プリンタ決定手段と；
を有することを特徴とする情報処理装置。
【請求項２】
請求項１において、
上記システム上のプリンタのサイズ、色数、解像度を記録するプリンタ機能メモリと；
記録したデフォルトプリンタと、上記システム上のプリンタのサイズ、色数、解像度に基づいて、代替プリンタを決定する代替プリンタ決定手段と；
を有することを特徴とする情報処理装置。
【請求項３】
請求項２において、
上記プリンタ機能メモリに記憶されている内容に基づいて、デフォルトプリンタの機能と代替プリンタの機能とを表示する手段と；
上記代替プリンタの印刷時に、警告を表示し、処理継続の要否を選択する選択手段と；
を有することを特徴とする情報処理装置。
【請求項４】
請求項２において、
使用するプリンタが省電力状態であることを、上記省電力状態検出手段が検出すると、警告を表示し、処理継続の要否を選択する選択手段を有することを特徴とする情報処理装置。
【請求項５】
請求項１において、
省電力状態検出手段が、上記デフォルトプリンタメモリに記録されているプリンタの省電力状態からの復帰を検出すると、デフォルトプリンタの設定を戻す手段を有することを特徴とする情報処理装置。
【請求項６】
インタフェースを介して、複数のプリンタと接続する情報処理装置の制御方法において、
最優先で使用するように設定されているデフォルトプリンタをデフォルトプリンタメモリが記憶する工程と；
上記インタフェースで構成されているシステム上のプリンタが、省電力状態であることを省電力状態検出手段が検出し、記憶装置に記憶する工程と；
上記省電力状態検出手段が検出したプリンタと、上記デフォルトプリンタメモリに記録されているプリンタとが同一であるかどうかを判断手段が判断する工程と；
上記判断手段が同一であると判断すると、代替プリンタ決定手段が代替プリンタを決定する工程と；
を有することを特徴とする情報処理装置の制御方法。
【発明の詳細な説明】
【技術分野】
【０００１】
本発明は、複数の画像形成装置で構成されているシステムの省電力技術に関する。
【背景技術】
【０００２】
近年の電子機器における課題の１つは、省資源化対策に伴い省電力化することである。省電力の基準として、いくつかのガイドラインが設けられ、このガイドラインに対応することによって、省電力化が図られている。
【０００３】
プリンタ等の画像形成装置は、印刷する画像のデータと印刷動作の指示（以下、「印刷ジョブ」という）とを受信すると、印刷動作を直ぐに開始できる待機状態（以下、「スタンバイ状態」という。）と、消費電力を抑える省電力状態とを持つ。
【０００４】
印刷動作を長時間行わないと、省電力状態に移行し、低消費電力化を行う。省電力に対応する画像形成装置は、通常どおり印刷動作するので、省電力状態で印刷ジョブを受けると、復帰する。
【０００５】
画像形成装置において、画像形成装置の高機能化、大型化によって、画像形成装置の印刷動作時に、印刷動作待機状態の消費電力が増大するという問題がある。
【０００６】
また、省電力状態の画像形成装置に、ユーザが印刷ジョブを頻繁に送信すると、その度に、画像形成装置が省電力状態から復帰するので、省電力状態を保つことができず、効率的に省電力化できないという問題がある。
【０００７】
そこで、ネットワークで接続されているシステム上の複数の画像形成装置について、システム全体の省電力化を行う発明が知られている（たとえば、特許文献１参照）。この発明は、同システム上の画像形成装置に対し、優先順位を設け、最優先で使用する画像形成装置以外の画像形成装置を省電力状態にし、システム全体の省電力化を行う発明である。
【特許文献１】特開２００４−１０６２１１号公報
【発明の開示】
【発明が解決しようとする課題】
【０００８】
しかし、上記従来技術における省電力システムでは優先的に使用する画像形成装置を決めておくので、ユーザが設定する必要がある。また、各ホスト機器において、優先的に使用する画像形成装置の決定が異なると、同システム上の画像形成装置の省電力化が効率的ではない可能性があるという問題がある。
【０００９】
本発明は、複雑な操作をせずに、システム全体として、画像形成装置を、より効果的に省電力化することができる情報処理装置を提供することを目的とする。
【課題を解決するための手段】
【００１０】
本発明は、インタフェースを介して、複数のプリンタと接続する情報処理装置において、最優先で使用するように設定されているデフォルトプリンタを記憶するデフォルトプリンタメモリを有する。また、本発明は、上記インタフェースで構成されているシステム上のプリンタが、省電力状態であることを検出する省電力状態検出手段を有する。さらに、本発明は、上記省電力状態検出手段が検出したプリンタと、上記デフォルトプリンタメモリに記録されているプリンタとが同一であるかどうかを判断する判断手段を有する。そして、本発明は、上記判断手段が、同一であると判断すると、代替プリンタを決定する代替プリンタ決定手段を有する。
【発明の効果】
【００１１】
本発明は、最優先で使用するプリンタとして設定されている画像形成装置が省電力状態に移行すると、システム上の印刷動作待機状態の画像形成装置を検索し、検索されたプリンタを、最優先で使用するプリンタに設定変更する。したがって、複雑な操作と設定とを必要とせずに、プリンタが頻繁に復帰することがないので、省電力状態を十分に保つことができ、システム全体の消費電力の増加を抑えることができるという効果を奏する。
【発明を実施するための最良の形態】
【００１２】
発明を実施するための最良の形態は、次の実施例である。
【実施例１】
【００１３】
図１は、本発明の実施例１である情報処理装置１０を含む情報処理システム１００を示すブロック図である。
【００１４】
情報処理システム１００は、情報処理装置１０と、プリンタ２０と、ディスプレイ３０と、システムインタフェース４０とを有する。
【００１５】
情報処理装置１０は、主にパーソナルコンピュ−タであり、ＣＰＵ１１と、ＲＡＭ１２と、ネットワークコントローラ１３と、ＨＤＤ１４と、システムバスＳＢとを有し、システムバスＳＢを介して、データを送受信する。
【００１６】
プリンタ２０は、レーザプリンタ、インクジェットプリンタ、ＦＡＸ等が該当する。プリンタ２０は、ネットワークケーブル、ＵＳＢ等のインタフェースケーブルによって、情報処理装置１０と接続され、情報処理装置１０との間で、データを送受信する。
【００１７】
ディスプレイ３０は、情報処理装置１０が実行したプログラムの結果を表示する手段である。ディスプレイ３０は、情報処理装置１０から受信したデータを表示し、ＤＶＩ等の映像データを送信するインタフェースを介して、情報処理装置１０と接続されている。また、プリンタ２０、ディスプレイ３０は、情報処理装置１０の周辺機器である。
【００１８】
ＣＰＵ１１は、情報処理装置１０のＣｅｎｔｒａｌ  Ｐｒｏｃｅｓｓｉｎｇ  Ｕｎｉｔであり、情報処理装置１０の演算処理を行う。ＲＡＭ１２は、Ｒａｎｄｏｍ  Ａｃｃｅｓｓ  Ｍｅｍｏｒｙであり、送信されたデータを格納する。ＣＰＵ１１による演算は、ＲＡＭ１２に格納されているデータに基づいて行われる。
【００１９】
ネットワークコントローラ１３は、インタフェースケーブルを経由し、周辺機器から受信したデータを処理する。ＨＤＤ１４は、Ｈａｒｄ  Ｄｉｓｋ  Ｄｒｉｖｅであり、情報処理装置１０のデータを保存する。
【００２０】
図２は、プリンタ２０のシステム構成を示す図である。
【００２１】
プリンタ２０は、ＣＰＵ２１と、ＲＡＭ２２と、ネットワークコントローラ２３と、不揮発性メモリ２４と、印刷制御部２５と、制御パネル２６と、システムバス２７とを有し、システムバス２７を介してデータを送受信する。
【００２２】
不揮発性メモリ２４は、プリンタ２０の動作用プログラムと動作用の設定情報とを記録している。
【００２３】
ユーザが制御パネル２６を操作することによって、プリンタ２０の動作設定を変更することができる。制御パネル２６は、ディスプレイ２６１と、操作Ｉ／Ｆ２６２とを有する。ディスプレイ２６１は、プリンタ２０の動作設定をユーザが確認するためのディスプレイである。操作インタフェース（操作Ｉ／Ｆ）２６２は、プリンタ２０の動作設定をユーザが変更するための操作インタフェースである。
【００２４】
図３は、情報処理システム１００を示すブロック図であり、情報処理装置１０の具体例を示すブロック図である。
【００２５】
情報処理装置１０、１０ａ、１０ｂは、同じネットワークシステム上（以下、「システム上」という。）のホストコンピュータである。デフォルトプリンタ２０ｄ、プリンタ２０ａ、２０ｂは、システム上のプリンタである。情報処理装置１０、１０ａ、１０ｂ、デフォルトプリンタ２０ｄ、プリンタ２０ａ、２０ｂは、システムインタフェース４０を介して、接続されている。
【００２６】
情報処理装置１０は、デフォルトプリンタメモリ１５と、判断手段１６と、代替プリンタ決定手段１７と、省電力検出手段１８とを有する。
【００２７】
省電力検出手段１８は、システム上のプリンタの省電力状態を検出する装置である。省電力検出手段１８は、ＲＡＭ１２に展開したＨＤＤ１４内のプログラムデータを、ＣＰＵ１１で動作させたプログラムである。このプログラムは、省電力状態のプリンタのＩＰアドレスを既存のＴＣＰ／ＩＰ等のプロトコルを用いて、システム上から、ネットワークコントローラ１３で検出し、ＲＡＭ１２に展開するプログラムである。
【００２８】
デフォルトプリンタ２０ｄは、ユーザが印刷を行うプリンタを任意に指定しない場合に、印刷ジョブが自動的に送信されるように設定されているプリンタである。
【００２９】
デフォルトプリンタメモリ１５は、ユーザがデフォルトプリンタに設定したＩＰアドレスを記録したＨＤＤ１４内のデータである。
【００３０】
ユーザがデフォルトプリンタ２０ｄに設定したＩＰアドレスは、ＲＡＭ１２に一度展開され、ＨＤＤ１４内のデータとして記録されるように、ＣＰＵ１１によって処理される。
【００３１】
デフォルトプリンタ２０ｄは、システムインタフェース４０で接続し、構成されるシステム上のデフォルトプリンタである。デフォルトプリンタ２０ｄのＩＰアドレスは、情報処理装置１０に記録されている。
【００３２】
判断手段１６は、ＲＡＭ１２に展開されているＨＤＤ１４内のデータを、ＣＰＵ１１が動作させたプログラムである。判断手段１６は、省電力検出手段１８で検出し、ＲＡＭ１２に展開されているＩＰアドレスと、デフォルトプリンタメモリ１５に記録されているＩＰアドレスとが同じであるかどうかを検査する。同じであれば、判断手段１６は、デフォルトプリンタ２０ｄが省電力状態へ移行したと判断し、代替のプリンタを検出し、デフォルトプリンタの設定変更を指示する。
【００３３】
代替プリンタ決定手段１７は、ＲＡＭ１２に展開されているＨＤＤ１４内のプログラムデータを、ＣＰＵ１１で動作させたプログラムである。判断手段１６から、デフォルトプリンタ２０ｄの設定変更の指示を受け取り、代替プリンタを決定する。デフォルトプリンタ２０ｄの省電力状態への移行時に、スタンバイ状態のプリンタの機能を、既存のＴＣＰ／ＩＰ等のプロトコルを用いて、システム上からネットワークコントローラ１３で検出し、ＲＡＭ１２に展開する。
【００３４】
ＲＡＭ１２に展開したプリンタ機能をリスト化し、リスト中から代替プリンタを選び、デフォルトプリンタ２０ｄに設定変更する。
【００３５】
図４は、プリンタの機能リストを示す図である。
【００３６】
代替プリンタ決定手段１７がシステム上のプリンタを検出し、デフォルトプリンタ２０ｄ、プリンタ２０ａ、２０ｂの印刷可能なサイズ、色数、解像度を、システム上のプリンタから検出し、情報処理装置１０のＲＡＭ１２に読み込み、ＨＤＤ１４に書き込む。
【００３７】
図５は、実施例１において、デフォルトプリンタを変更する情報処理装置１０の動作を示すフローチャートである。
【００３８】
判断手段１６によって、デフォルトプリンタ２０ｄの省電力状態への移行を検出すると、このフローチャートが開始する。
【００３９】
Ｓ１で、情報処理装置１０が、デフォルトプリンタ２０ｄから省電力状態へ移行する情報を受信する。Ｓ２で、情報処理装置１０がデフォルトプリンタ２０ｄの代わりになるスタンバイ状態のプリンタを、代替プリンタ決定手段１７が検出し、プリンタの機能リスト５０を作成する。
【００４０】
Ｓ３で、ネットワークシステム上で、デフォルトプリンタ２０ｄ以外のプリンタ２０ａ、２０ｂの状態を、情報処理装置１０が調べ、デフォルトプリンタ２０ｄのプリンタ以外にスタンバイ状態のプリンタがシステム上にあれば、Ｓ４へ進む。
【００４１】
Ｓ４で、代替プリンタ決定手段１７によって、デフォルトプリンタ２０ｄ以外のスタンバイ状態のプリンタを、デフォルトプリンタに変更し、処理を終了する。スタンバイ状態のプリンタがシステム上に無いことを、代替プリンタ決定手段１７が判断すると、デフォルトプリンタの設定を変更せずに、デフォルトプリンタ２０ｄは、省電力状態へ移行し、処理を終了する。
【００４２】
図６は、デフォルトプリンタ２０ｄの代替プリンタを選択する動作を示すフローチャートである。
【００４３】
Ｓ４で、代替プリンタをデフォルトプリンタに設定変更する場合に、このフローチャートが開始する。Ｓ１１で、代替プリンタ決定手段１７が、システム上のデフォルトプリンタ２０ｄ以外のプリンタを検出し、プリンタの機能リスト５０を作成する。
【００４４】
プリンタの機能リスト５０中に、デフォルトプリンタ２０ｄと印刷サイズが同じであるプリンタがあれば、Ｓ１５へ進み、印刷サイズが同じプリンタが無ければ、Ｓ１２へ進む。
【００４５】
Ｓ１５で、デフォルトプリンタ２０ｄと印刷サイズが同じプリンタを、デフォルトプリンタに変更し、処理を終了する。Ｓ１２で、デフォルトプリンタ２０ｄの色数とプリンタの機能リスト５０とを比較する。デフォルトプリンタ２０ｄの色数と同じプリンタが、機能リスト５０にあれば、Ｓ１５へ進み、色数の同じプリンタが無ければ、Ｓ１３へ進む。Ｓ１５で、デフォルトプリンタ２０ｄと色数が同じプリンタを、デフォルトプリンタに変更し、処理を終了する。
【００４６】
Ｓ１３で、デフォルトプリンタ２０ｄの解像度とプリンタの機能リスト５０とを比較する。デフォルトプリンタ２０ｄの解像度と同じプリンタが、プリンタの機能リスト５０中にあれば、Ｓ１５へ進み、解像度が同じプリンタが無ければ、Ｓ１４へ進む。
【００４７】
Ｓ１５では、デフォルトプリンタ２０ｄと解像度が同じプリンタを、デフォルトプリンタに変更し、処理を終了する。Ｓ１４で、代替プリンタ決定手段１７が、システム上のデフォルトプリンタ２０ｄ以外で、印刷動作後の経過時間が一番短いプリンタを検出し、Ｓ１５へ進む。Ｓ１５で、印刷動作後の経過時間が一番短いプリンタを、デフォルトプリンタに変更し、処理を終了する。
【００４８】
図７は、デフォルトプリンタを変更したときに、変更内容を表示する動作を示すフローチャートである。
【００４９】
Ｓ４を終え、デフォルトプリンタを変更した後に、このフローチャートが開始する。Ｓ２１で、デフォルトプリンタメモリ１５と、代替プリンタ決定手段１７が作成したプリンタの機能リスト５０とを比較し、印刷サイズが異なれば、Ｓ２２へ進む。デフォルトプリンタ変更前後で印刷サイズが同じであれば、Ｓ２７へ進む。Ｓ２２で、プリンタの印刷サイズの変更をディスプレイ３０に表示し、Ｓ２３へ進む。
【００５０】
Ｓ２７で、デフォルトプリンタの設定変更通知と、デフォルトプリンタ変更前後のプリンタのＩＰアドレス・位置情報とを、ディスプレイ３０に表示し、処理を終了する。Ｓ２３で、デフォルトプリンタメモリ１５と、代替プリンタ決定手段１７が作成したプリンタの機能リスト５０とを比較し、色数が異なれば、Ｓ２４へ進む。
【００５１】
デフォルトプリンタ変更前後で色数が同じであれば、Ｓ２７へ進む。Ｓ２４で、プリンタの色数の変更をディスプレイ３０へ表示し、Ｓ２５へ進む。Ｓ２７で、印刷サイズの変更の表示に加え、デフォルトプリンタの設定変更通知とデフォルトプリンタ変更前後のプリンタのＩＰアドレス・位置情報とを、ディスプレイ３０に表示し、処理を終了する。
【００５２】
Ｓ２５で、デフォルトプリンタメモリ１５と、代替プリンタ決定手段１７が作成したプリンタの機能リスト５０とを比較し、解像度が異なれば、Ｓ２６へ進む。Ｓ２６で、プリンタの解像度の変更を、ディスプレイ３０へ表示し、Ｓ２７へ進む。
【００５３】
Ｓ２７で、色数の変更、解像度の変更、印刷サイズの変更の表示に加え、デフォルトプリンタの設定変更通知と、デフォルトプリンタ変更前後のプリンタのＩＰアドレス・位置情報とを、ディスプレイ３０に表示し、処理を終了する。
【００５４】
デフォルトプリンタ変更前後で、プリンタの解像度が同じであれば、Ｓ２７へ進む。解像度の変更、印刷サイズの変更の表示に加え、デフォルトプリンタの設定変更通知とデフォルトプリンタ変更前後のプリンタのＩＰアドレス・位置情報とを、ディスプレイ３０に表示し、処理を終了する。
【００５５】
図８は、システム上のプリンタの状態を、ディスプレイ３０へ表示している状態の一例を示す図である。
【００５６】
システム上のプリンタの省電力状態は、省電力検出手段１８が受信したデータに基づいて、情報処理装置１０が処理し、ディスプレイ３０に表示する。ウインドウＷ１は、デフォルトプリンタ変更前に、プリンタの状態を示すウインドウである。デフォルトプリンタに設定されている状態と、スタンバイ状態と、省電力状態とを、ユーザが確認できるように、ディスプレイ３０に表示する。
【００５７】
アイコン８１は、デフォルトプリンタに設定されているプリンタのアイコンであり、アイコン８２は、省電力状態のプリンタのアイコンであり、アイコン８３は、スタンバイ状態のプリンタのアイコンである。
【００５８】
ウインドウＷ２は、デフォルトプリンタ変更後において、プリンタの状態を表示するウインドウである。アイコン８１ａは、デフォルトプリンタ変更後の省電力状態に移行したプリンタのアイコンである。アイコン８２ａは、省電力状態のプリンタのアイコンであり、アイコン８３ａは、デフォルトプリンタ変更後に、デフォルトプリンタに設定変更されたプリンタのアイコンである。
【００５９】
図９は、デフォルトプリンタについて設定を変更するためのウインドウＷ３の表示例を示す図である。
【００６０】
変更内容を表示する場合、図７に示すフローチャートに従い、ディスプレイ３０に表示する。
【００６１】
図１０は、デフォルトプリンタ変更後に、プリンタの印刷動作時の動作を示すフローチャートである。
【００６２】
Ｓ３１で、ユーザが印刷動作を指定したプリンタの省電力状態を、省電力検出手段１８が調べる。ユーザが印刷動作を指定したプリンタが、省電力検出手段１８が省電力状態ではないと判断すると、Ｓ３４へ進み、ユーザが印刷動作を指定したプリンタで、印刷動作を行い、処理を終了する。
【００６３】
ユーザが印刷動作を指定したプリンタが、省電力検出手段１８が省電力状態であると判断すると、Ｓ３２へ進む。Ｓ３２で、ユーザが印刷動作を指定したプリンタを、省電力状態から復帰させ、印刷動作を行うかどうかについて、警告を表示し、Ｓ３３へ進む。Ｓ３３で、印刷動作を行うかどうかを、ユーザに選択させる。指定したプリンタで印刷することを選択するように、ユーザが入力すると、Ｓ３４へ進み、ユーザが指定しプリンタで印刷動作を行い、処理を終了する。ユーザが、処理継続を選択しなければ、印刷動作を中止し、処理を終了する。
【００６４】
図１１は、省電力状態のプリンタで印刷を行う前に行う警告表示するウインドウＷ４の表示例を示す図であり、Ｓ３３における警告の表示の一例を示す図である。
【００６５】
図１２は、デフォルトプリンタに設定されているプリンタが、省電力状態から復帰するときにおける動作を示すフローチャートである。
【００６６】
省電力検出手段１８が検出したプリンタと、デフォルトプリンタメモリ１５に設定されているデフォルトプリンタ２０ｄとが一致しなければ、デフォルトプリンタ２０ｄが省電力状態から復帰したと判断し、このフローチャートが開始する。
【００６７】
Ｓ４１で、デフォルトプリンタ２０ｄが省電力状態から復帰したと、省電力検出手段１８が判断する。Ｓ４２で、デフォルトプリンタメモリ１５に設定されているデフォルトプリンタ２０ｄに戻し、処理を終了する。
【００６８】
上記実施例は、ネットワークシステム全体の省電力方法であるが、これを、ＩＥＥＥ１３９４、ＵＳＢ等のバスシステムで実現するようにしてもよい。
【００６９】
つまり、上記実施例は、インタフェースを介して、複数のプリンタと接続する情報処理装置において、最優先で使用するように設定されているデフォルトプリンタを記憶するデフォルトプリンタメモリを有する。また、上記実施例は、上記インタフェースで構成されているシステム上のプリンタが、省電力状態であることを検出する省電力状態検出手段を有する。さらに、上記実施例は、上記省電力状態検出手段が検出したプリンタと、上記デフォルトプリンタメモリに記録されているプリンタとが同一であるかどうかを判断する判断手段を有する。しかも、上記実施例は、上記判断手段が、同一であると判断すると、代替プリンタを決定する代替プリンタ決定手段を有する情報処理装置の例である。
【００７０】
この場合、上記システム上のプリンタのサイズ、色数、解像度を記録するプリンタ機能メモリと、記録したデフォルトプリンタと、上記システム上のプリンタのサイズ、色数、解像度に基づいて、代替プリンタを決定する代替プリンタ決定手段とを有する。また、上記実施例は、上記プリンタ機能メモリに記憶されている内容に基づいて、デフォルトプリンタの機能と代替プリンタの機能とを表示する手段と、上記代替プリンタの印刷時に、警告を表示し、処理継続の要否を選択する選択手段とを有する。さらに、上記実施例は、使用するプリンタが省電力状態であることを、上記省電力状態検出手段が検出すると、警告を表示し、処理継続の要否を選択する選択手段を有する。しかも、上記実施例は、省電力状態検出手段が、上記デフォルトプリンタメモリに記録されているプリンタの省電力状態からの復帰を検出すると、デフォルトプリンタの設定を戻す手段を有する。
【００７１】
また、上記実施例を方法の発明として把握することができる。つまり、上記実施例は、インタフェースを介して、複数のプリンタと接続する情報処理装置の制御方法において、最優先で使用するように設定されているデフォルトプリンタをデフォルトプリンタメモリが記憶する工程を有する。また、上記実施例は、上記インタフェースで構成されているシステム上のプリンタが、省電力状態であることを省電力状態検出手段が検出し、記憶装置に記憶する工程を有する。さらに、上記実施例は、上記省電力状態検出手段が検出したプリンタと、上記デフォルトプリンタメモリに記録されているプリンタとが同一であるかどうかを判断手段が判断する工程を有する。そして、上記実施例は、上記判断手段が同一であると判断すると、代替プリンタ決定手段が代替プリンタを決定する工程を有する情報処理装置の制御方法の例である。
【図面の簡単な説明】
【００７２】
【図１】本発明の実施例１である情報処理装置１０を含む情報処理システム１００を示すブロック図である。
【図２】プリンタ２０のシステム構成を示す図である。
【図３】情報処理システム１００を示すブロック図であり、情報処理装置１０の具体例を示すブロック図である。
【図４】プリンタの機能リストを示す図である。
【図５】実施例１において、デフォルトプリンタを変更する情報処理装置１０の動作を示すフローチャートである。
【図６】デフォルトプリンタ２０ｄの代替プリンタを選択する動作を示すフローチャートである。
【図７】デフォルトプリンタを変更したときに、変更内容を表示する動作を示すフローチャートである。
【図８】システム上のプリンタの状態を、ディスプレイ３０へ表示している状態の一例を示す図である。
【図９】デフォルトプリンタについて設定を変更するためのウインドウＷ３の表示例を示す図である。
【図１０】デフォルトプリンタ変更後に、プリンタの印刷動作時の動作を示すフローチャートである。
【図１１】省電力状態のプリンタで印刷を行う前に行う警告表示するウインドウＷ４の表示例を示す図であり、Ｓ３３における警告の表示の一例を示す図である。
【図１２】デフォルトプリンタに設定されているプリンタが、省電力状態から復帰するときにおける動作を示すフローチャートである。
【符号の説明】
【００７３】
１０、１０ａ、１０ｂ…情報処理装置、
１１…ＣＰＵ、
１２…ＲＡＭ、
１３…ネットワークコントローラ、
１４…ＨＤＤ、
１５…デフォルトプリンタメモリ、
１６…判断手段、
１７…代替プリンタ決定手段、
１８…省電力検出手段、
２０ｄ…デフォルトプリンタ、
２０、２０ａ、２０ｂ…システム上のプリンタ、
２１…ＣＰＵ、
２２…ＲＡＭ、
２３…ネットワークコントローラ、
２４…不揮発性メモリ、
２５…印刷制御部、
２６…制御パネル、
２６１…制御パネルのディスプレイ、
２６２…制御パネルの操作Ｉ／Ｆ、
２７…プリンタのシステムバス、
３０…ディスプレイ、
４０…システムインタフェース、
５０…ネットワーク上のプリンタの機能リスト。
【図１】
2009003586.tif 000003
【図２】
2009003586.tif 000004
【図３】
2009003586.tif 000005
【図４】
2009003586.tif 000006
【図５】
2009003586.tif 000007
【図６】
2009003586.tif 000008
【図７】
2009003586.tif 000009
【図８】
2009003586.tif 000010
【図９】
2009003586.tif 000011
【図１０】
2009003586.tif 000012
【図１１】
2009003586.tif 000013
【図１２】
2009003586.tif 000014